(57)【要約】      （修正有）【課題】足の甲との接触によってローラ背面側の周面が靴下を上方に引き上げることができるので、簡単に靴下を着用できる靴下着用のための補助具を提供する。【解決手段】板状補助具１の側縁は靴下Ｍを膨らませて足Ｆを挿入しやすいように膨大形状とした膨らみ部２を設け、靴下中に足Ｆを挿入できるようにすると共に、板状補助具１の略中央に窓部３を設け、窓部３にローラ４を横架し、ローラ４の前面側の周面は板状補助具１の窓部３から前後に露出し、足Ｆ挿入時の足の甲Ｆ１表面と接触するようにし、ローラ４の背面側の周囲は靴下Ｍの内周面と接触させる、足Ｆ挿入時にローラ４が回転して靴下Ｍの内周面を上方にたくし上げ、足Ｆに靴下Ｍを着用したら補助具を靴下Ｍの中から引き上げてはずすようにした、靴下着用のための補助具。【選択図】図１
2014180499.tif 000002
【特許請求の範囲】
【請求項１】
板状補助具の側縁は靴下を膨らませて足を挿入しやすいように膨大形状とした膨らみ部を設け、靴下中に足を挿入できるようにすると共に、板状補助具の略中央に窓部を設け、窓部にローラを横架し、ローラの前面側の周面は板状補助具の窓部から前後に露出し、足挿入時の足の甲表面と接触するようにし、ローラの背面側の周囲は靴下の内周面と接触させる、足挿入時にローラが回転して靴下の内周面を上方にたくし上げ、足に靴下を着用したら補助具を靴下の中から引き上げてはずすようにした、靴下着用のための補助具。
【発明の詳細な説明】
【技術分野】
【０００１】
本発明は、靴下着用のための補助具に関する。
【背景技術】
【０００２】
円錐状補助具、ローラの背面側の周囲を靴下の内周面と接触させるように靴下を板状補助具の先端部の方向から挿入させ、円錐状にすることによってできる膨らみ部にできる足挿入空間に足のかかとまで挿入させ、それによりローラが回転することによりローラに接触されている靴下の内周面が上方にたくし上げられる構成になっている。
【先行技術文献】
【特許文献】
【０００３】
【特許文献１】特開２０１１−７８７２０号公報
【発明の概要】
【発明が解決しようとする課題】
【０００４】
従来の靴下着用のための補助具は、図５に示すように製品の構造が複雑であるため高価になり、更には、靴下の着用を容易にし、かかる時間を短縮するものではなく、体に負担がかかり一般の消費者では正しい使い方で使用できず着用に時間のかかるものであり、また、従来の製品での靴下の着用はくるぶしのソックスのみであり、ハイソックスには適用不可である。
【課題を解決するための手段】
【０００５】
上記の目的を達成するために、本発明に係る靴下着用のための補助具は、板状補助具の側縁は靴下を膨らませて足を挿入しやすいように膨大形状とした膨らみ部を設け、靴下中に足を挿入できるようにすると共に、板状補助具の略中央に窓部を設け、窓部にローラを横架し、ローラの前面側の周面は板状補助具の窓部から前後に露出し、足挿入時の足の甲表面と接触するようにし、ローラの背面側の周囲は靴下の内周面と接触させる、足挿入時にローラが回転して靴下の内周面を上方にたくし上げ、足に靴下を着用したら補助具を靴下の中から引き上げてはずすようにしたことを特徴とする。
【発明の効果】
【０００６】
本発明によれば、足の甲との接触によってローラ背面側の周面が靴下を上方に引き上げることができるので、簡単に靴下を着用できる効果がある。
【０００７】
また、従来で使用できなかったハイソックスの使用ができ、全体がコンパクトになっており、構造が簡単であるので、価格が安く、取り扱いや保管がしやすくなる効果がある。
【図面の簡単な説明】
【０００８】
【図１】本件発明の補助具の使用状態
【図２】補助具の全体の図並びにローラと軸の断面図
【図３】補助具の使用時における靴下と補助具の説明図
【図４】補助具の膨大形状を示す図
【図５】従来の補助具の全体図
【発明を実施するための形態】
【０００９】
この発明の実施例を図面に基づき詳説すれば、図１は本件発明の板状補助具１の使用状態、図２は板状補助具１の全体の図並びにローラ４と軸５の断面図、図３は補助具の使用時における靴下と補助具の説明図である。
【００１０】
図２（ｃ）のように、ローラ４と軸５は足Ｆに接触するように柔らかい素材で構成されており、図１のように、板状補助具１は軟質プラスチック６とローラ４、軸５の単純な構成になっている。
【００１１】
板状補助具１は略長方形状であり、上部には取手７を設けている。
【００１２】
取手７は板状補助具１より図３（ａ）のように使用時に持ち手を持ちやすく多少角度を付け、スムーズに動作を行え、取手７は板状補助具１のような膨大形状ではなく、まっすぐにしている。
【００１３】
この発明の大きさは、両側縁の長さが靴下Ｍより少し大きくし、少し靴下Ｍが伸びるような大きさで、膨らみ部２を作り、足挿入空間Ｓができやすいようになっている。
【００１４】
板状補助具１の略中央に窓部３を設け、窓部３にローラ４を軸５に介して横架し、ローラ４の前面側の周面は板状補助具１の窓部３から前後に露出し、この窓部３から露出するローラ４の露出度は、できるだけ多くし靴下を誘導方向に移動させやすいようにする。
【００１５】
ローラの数は、靴下Ｍがしっかり接触する数であり、ローラ４の素材は、ローラ４を回した時、ローラ４の回転方向に靴下Ｍが移動されるような数である。
【００１６】
〔実施例１〕
ローラ４の素材をゴムのような摩擦係数の多いものにし、靴下Ｍを移動させる。
【００１７】
〔実施例２〕
ローラ４に数個の凹凸を設け、靴下Ｍを移動させる。
【００１８】
この発明は、板状補助具１の側縁は靴下を膨らませて足Ｆを挿入しやすいように膨大形状とした膨らみ部２を設け、靴下Ｍ中に足Ｆを挿入できるようにする。
【００１９】
補助具は膨大形状になっているため、図４（ａ）のように膨らみ部２ができ、靴下中に足を挿入できる足挿入空間Ｓができる。
【００２０】
〔実施例３〕
図４（ａ）のように、半円弧状な形状にし、膨らみ部２を作ることにより、足挿入空間Ｓができる。
【００２１】
〔実施例４〕
図４（ｂ）のように、両側縁に突起のある形状にし、膨らみ部２を作ることにより、足挿入空間Ｓができる。
【００２２】
また、図３に示すように、使用方法はローラ４の背面側の周囲を靴下Ｍの内周面と接触させるように靴下Ｍを板状補助具１の先端部の方向から挿入させ、膨らみ部２にできる足挿入空間Ｓに足ＦのかかとＦ２まで挿入させる。
【００２３】
また、足挿入空間Ｓに足Ｆを挿入する際、ローラ４側に力を加えることによりローラ４が回転し、ローラ４に接触されている靴下Ｓの内周面が上方にたくし上げられ、図３（ａ）、図３（ｂ）、図３（ｃ）の順に誘導されるという仕組みになっている。すなわち、足挿入空間Ｓに挿入した足Ｆとの接触によって回転するローラ４は、靴下Ｓをたくし上げる方向に回転する。なお、図３においてローラ４は足Ｆの甲と接触させているが、足Ｆの裏と接触させて使用しても良い。
【００２４】
足Ｆに靴下Ｍを着用したら板状補助具１を靴下Ｍの中から引き上げてはずすことにより靴下Ｍを容易に着用できる。
【００２５】
また、靴下Ｍを引き上げてはずす際、ローラ４を足Ｆに接触させながら引き上げ、靴下Ｍが足Ｆから出るのを防ぐ。
【００２６】
このように、ローラ４の役割は二つあり、一つ目は足Ｆを靴下Ｍ着用への誘導する役割がある。
【００２７】
二つ目は、足Ｆを足挿入空間Ｓに挿入する際や、靴下Ｍの内周面をたくし上げる際などに、靴下Ｍが板状補助具１や足Ｆから出るのを防ぐ役割がある。
【符号の説明】
【００２８】
1：板状補助具
2：膨らみ部
3：窓部
4：ローラ
5：軸
6：軟質プラスチック
M：靴下
F：足
F1：足の甲
S：足挿入空間
【図１】
2014180499.tif 000003
【図２】
2014180499.tif 000004
【図３】
2014180499.tif 000005
【図４】
2014180499.tif 000006
【図５】
2014180499.tif 000007